【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
第１のペア線で差動電圧ペア信号を介して第１のデータストリームを通信する第１のデータ信号を生成する第１の信号生成回路と、
第２のペア線で同相電圧信号を介して第２のデータストリームを通信する第２のデータ信号を生成する第２の信号生成回路であって、前記同相電圧信号が単一の差動対で前記差動電圧ペア信号と同時に送信される、第２の信号生成回路と、
を含む送信器。
【請求項２】
前記第１の信号生成回路は、前記差動電圧ペア信号を変調する少なくとも第１の電流スイッチ回路を含み、前記第２の信号生成回路は、前記同相電圧信号を変調する少なくとも第２の電流スイッチ回路を含む、請求項１に記載の送信器。
【請求項３】
前記第１及び第２のペア線の各々の２つの線間で直列に連結されている１対の抵抗構造体をさらに含み、前記１対の抵抗構造体のうち一方は前記第２の電流スイッチ回路の出力と前記第１又は第２のペア線内の第１の線との間に連結され、前記１対の抵抗構造体のうち他方は前記第２の電流スイッチ回路の前記出力と前記第１又は第２のペア線内の第２の線との間に連結されている、請求項１に記載の送信器。
【請求項４】
前記第１及び第２のペア線はユニバーサル・シリアル・バス（ＵＳＢ）準拠ケーブルに含まれており、前記ＵＳＢ準拠ケーブルはＭｉｃｒｏ−ＵＳＢ準拠ケーブルを含む、請求項１に記載の送信器。
【請求項５】
前記第１及び第２のペア線はＭｉｃｒｏ−ＵＳＢケーブルを利用したモバイル高解像度リンク（ＭＨＬ）インターフェースに含まれており、前記差動電圧ペア信号はＨＤＭＩ信号を含む、請求項１に記載の送信器。
【請求項６】
第１のペア線で差動電圧ペア信号を介して第１のデータストリームを通信する第１のデータ信号を生成する第１の信号生成回路と、
第２のペア線で同相電圧信号を介して第２のデータストリームを通信する第２のデータ信号を生成する第２の信号生成回路であって、前記同相電圧信号が単一の差動対で前記差動電圧ペア信号と同時に送信される、第２の信号生成回路と、
前記第１のペア線に連結され、前記差動電圧ペア信号を抽出する第１の増幅器と、
前記第２のペア線に連結され、前記同相電圧信号を抽出する第２の増幅器と、
を含むシステム。
【請求項７】
前記第１の信号生成回路は、前記差動電圧ペア信号を変調する少なくとも第１の電流スイッチ回路を含み、前記第２の信号生成回路は、前記同相電圧信号を変調する少なくとも第２の電流スイッチ回路を含む、請求項６に記載のシステム。
【請求項８】
前記第１及び第２のペア線の各々の２つの線間で直列に連結されている１対の抵抗構造体をさらに含み、前記１対の抵抗構造体のうち一方は前記第２の電流スイッチ回路の出力と前記第１又は第２のペア線内の第１の線との間に連結され、前記１対の抵抗構造体のうち他方は前記第２の電流スイッチ回路の前記出力と前記第１又は第２のペア線内の第２の線との間に連結されている、請求項６に記載のシステム。
【請求項９】
前記第１の増幅器は前記第１のペア線の各々の線から信号を受信するのに連結されており、前記第２の増幅器は前記第２のペア線の各々の線間に連結されている抵抗構造体を介して前記同相電圧信号を受信するのに連結されている、請求項６に記載のシステム。
【請求項１０】
前記ペア線はユニバーサル・シリアル・バス（ＵＳＢ）準拠ケーブルに含まれており、前記ＵＳＢ準拠ケーブルはＭｉｃｒｏ−ＵＳＢ準拠ケーブルを含む、請求項６に記載のシステム。
【請求項１１】
前記ペア線はＭｉｃｒｏ−ＵＳＢケーブルを利用したモバイル高解像度リンク（ＭＨＬ）インターフェースに含まれており、差動電圧ペア信号はＨＤＭＩ信号を含む、請求項６に記載のシステム。
【請求項１２】
第１のペア線で差動電圧ペア信号を介して第１のデータストリームを通信する第１の信号を、第１のペア線間に電圧差を生じさせて前記第１の信号のデータ値を示すことによって電圧差動信号伝達を用いて第１のペア線で送信するステップと、
第２のペア線で同相電圧信号を介して第２のデータストリームを通信する第２の信号を、第２のペア線に対する共通電圧レベルを変えて前記第２の信号のデータ値を示すことによって同相電圧信号伝達を用いて前記第２のペア線で送信するステップであって、前記同相電圧信号が単一の差動対で前記差動電圧ペア信号と同時に送信される、ステップと、
を含む方法。
【請求項１３】
前記ペア線はユニバーサル・シリアル・バス（ＵＳＢ）準拠ケーブルに含まれており、前記ＵＳＢ準拠ケーブルはＭｉｃｒｏ−ＵＳＢ準拠ケーブルを含む、請求項１２に記載の方法。
【請求項１４】
前記ペア線はＭｉｃｒｏ−ＵＳＢケーブルを利用したモバイル高解像度リンク（ＭＨＬ）インターフェースに含まれている、請求項１２に記載の方法。
【請求項１５】
差動電圧ペア信号はＨＤＭＩ信号を含む、請求項１２に記載の方法。
【手続補正２】
【補正対象書類名】明細書
【補正対象項目名】０００５
【補正方法】変更
【補正の内容】
【０００５】
第２のペアの両方の線における直流オフセットは変わらないままであるが、第１のペアにおける両方の線は、少量だけ調整されたそれらの直流オフセットを有することがある。
デジタル情報を逆方向に通信するために、第１の直流オフセットを第２のオフセットと比較する。さらに、第１のペアの両方の線における直流オフセットは変わらないままであるが、第２のペアにおける両方の線は、少量だけ調整されたそれらの直流オフセットを有することがある。デジタル情報を逆方向に通信するために、第１の直流オフセットを第２のオフセットと比較する。これにより、デジタルデータの双方向転送が可能になる。また、デジタルデータを、ツイスト線差動ペアのうち２つで逆方向に転送する。
【手続補正３】
【補正対象書類名】明細書
【補正対象項目名】００１１
【補正方法】変更
【補正の内容】
【００１１】
図２の例では、追加の仮想差動ペアを、プロセッサ２０１から表示装置２０２に送信するものとして例示する。別の実施形態では、表示装置２０２からプロセッサ２０１に送信することができ、または双方向通信が可能である。図３（より詳細に後述）の波形は、差動ペア２０５ａ−ｄで追加のデータ送信容量を与えるのに利用できる。
【手続補正４】
【補正対象書類名】明細書
【補正対象項目名】００１４
【補正方法】変更
【補正の内容】
【００１４】
表示端末２０２は、受信器２０７、送信器２１５および直流オフセットモジュール２２５を含む。受信器２０７は、入力データを受信し、データを行列ドライバ回路２３０に経路設定する。表示装置２０２内の送信器２１５は、表示端末２０２に連結可能な周辺装置から入力データを受信することができ、直流オフセットモジュール２２５を用いてこのデータをプロセッサ２０１に送信することができる。直流オフセットモジュール２２５は、差動ペア２０５ａ−ｄのうち２つに関して直流オフセットを操作する働きをする。２つのツイスト線ペアの各々における直流オフセットを比較する場合、２つの直流オフセット間の差を使用して、デジタルデータを表示装置２０２からプロセッサ２０１に送信する。
【手続補正５】
【補正対象書類名】明細書
【補正対象項目名】００１５
【補正方法】変更
【補正の内容】
【００１５】
送信器２１５による直流オフセットの操作により、対の差動ペア２０５ａ−ｄでデータを送信して、仮想差動ペア２８０および２９０を生成することができる。表示装置２０２からプロセッサ２０１への送信が例示されているけれども、送信器をプロセッサ２０１に含み、受信器を表示装置２０２に含んでもよく、プロセッサ２０１から表示装置２０２に仮想差動ペアで送信することができる。さらに、双方向通信を仮想差動ペアでサポートすることもできる。
【手続補正６】
【補正対象書類名】明細書
【補正対象項目名】００１６
【補正方法】変更
【補正の内容】
【００１６】
第２のペアの両方の線における直流オフセットは変わらないままであるが、第１のペアにおける両方の線は、少量だけ調整されたそれらの直流オフセットを有することがある。
デジタル情報を逆方向に通信するために、第１の直流オフセットを第２のオフセットと比較する。さらに、第１のペアの両方の線における直流オフセットは変わらないままであるが、第２のペアにおける両方の線は、少量だけ調整されたそれらの直流オフセットを有することがある。デジタル情報を逆方向に通信するために、第１の直流オフセットを第２のオフセットと比較する。これにより、デジタルデータの双方向転送が可能になる。また、デジタルデータを、ツイスト線差動ペア２０５ａ−ｄのうち２つで逆方向に転送する。